(57)【要約】  本願に係る発明の一態様である装置は、所定分量の粉状薬剤を鼻腔内に施薬するための鼻腔用粉状薬剤施薬装置（１０）である。該装置は、粉状薬剤（Ｍ）の充填スペース（２２）および該粉状薬剤（Ｍ）の噴出用開口部（２６）を有するノズル部材（２０）と、噴出用開口部（２６）を閉口する閉口部材と、充填スペース（２２）の開口部（２４）を封止するシール部材（４０）と、収縮動作に伴い空気を送り出して粉状薬剤を噴出用開口部（２６）から噴出させる噴射用ポンプ部材（５０）と、該噴射用ポンプ部材（５０）の収縮動作に伴い移動し、該移動の途中でシール部材（４０）に孔を穿つ穿孔部材（６０）と、該穿孔部材（６０）の移動時の方向と垂直な方向への動きを規制するガイド部材（７０）と、を備える。
2020105290.tif 000002
【特許請求の範囲】
【請求項１】
所定分量の粉状薬剤を鼻腔等に施薬するための単回使用型の薬剤施薬装置において、
前記粉状薬剤が充填される充填スペース、および該粉状薬剤が噴出される噴出用開口部を有するノズル部材と、
前記噴出用開口部を閉口する閉口部材と、
前記充填スペースの開口部を封止するシール部材と、
収縮動作に伴い空気を送り出して前記粉状薬剤を前記噴出用開口部から噴出させる噴射用のポンプ部材と、
を備える、薬剤施薬装置。
【請求項２】
前記穿孔部材の先端部が、前記孔を穿ちやすくする先細り形状である、請求項１に記載の薬剤施薬装置。
【請求項３】
前記穿孔部材の先端部の裏側に、前記孔を通って前記充填スペース内に流れ込む空気の一部を径方向外側へ向かわせる笠部が形成されている、請求項２に記載の薬剤施薬装置。
【請求項４】
前記笠部が、径方向外側から内側へと向かうにつれて前記先端部に近づくように傾斜している、請求項３に記載の薬剤施薬装置。
【請求項５】
前記穿孔部材の前記先端部以外の部分に、移動方向に沿って伸びる溝部が形成されている、請求項２または４に記載の薬剤施薬装置。
【請求項６】
前記ポンプ部材の収縮動作に伴い移動し、該移動の途中で前記シール部材に孔を穿つ穿孔部材と、
該穿孔部材の前記移動時の方向と垂直な方向への動きを規制するガイド部材と、
をさらに備える、請求項１から５のいずれか一項に記載の薬剤施薬装置。
【請求項７】
前記穿孔部材の基端部と、前記ポンプ部材の底部とが接している、請求項６に記載の薬剤施薬装置。
【請求項８】
前記ポンプ部材が、前記ノズル部材側から当該ポンプ部材の底部に近づくにつれて絞り込まれるテーパー形状である、請求項７に記載の薬剤施薬装置。
【請求項９】
前記ポンプ部材を収縮動作させる際に使用者が指を掛けることができる指掛け部が設けられている、請求項８に記載の薬剤施薬装置。
【請求項１０】
前記ポンプ部材が断面長円または断面楕円形状である、請求項９に記載の薬剤施薬装置。
【請求項１１】
前記ポンプ部材に、当該ポンプ部材への誤操作による誤作動を防止するポンプ誤作動防止カバーが併設されている、請求項９または１０に記載の薬剤施薬装置。
【請求項１２】
収縮動作後の前記ポンプ部材が元の状態に戻るのを防止する戻り動作防止部材をさらに備える、請求項８または１１に記載の薬剤施薬装置。
【請求項１３】
前記ポンプ部材は、収縮動作後、元の形状には復帰し難い構造である、請求項１から１１のいずれか一項に記載の薬剤施薬装置。
【請求項１４】
正圧が作用した状態で前記シール部材の封止が解除する構造である、請求項１に記載の薬剤施薬装置。
【請求項１５】
前記シール部材による前記充填スペースの開口部の封止力は、前記ポンプ部材の収縮動作に伴う内圧上昇の途中で剥離する範囲内の力に設定されている、請求項１に記載の薬剤施薬装置。
【請求項１６】
前記シール部材は、前記ノズル部材と前記ポンプ部材との間の流路部の一部が熱圧着されてなるものである、請求項１に記載の薬剤施薬装置。
【請求項１７】
使用者による操作に応じて動作し、前記開口部の封止状態を解く封止解除部材をさらに備える、請求項１，１４から１６のいずれか一項に記載の薬剤施薬装置。
【請求項１８】
前記封止解除部材は、前記ポンプ部材の収縮動作に伴い伸長し、該伸長動作の途中で前記シール部材に接触して前記開口部の封止状態を解く部材である、請求項１７に記載の薬剤施薬装置。
【請求項１９】
前記封止解除部材は、前記ポンプ部材側から前記ノズル部材側へと前記シール部材を越えて押し進むことで封止状態を解除する部材で構成される、請求項１８に記載の薬剤施薬装置。
【請求項２０】
前記封止解除部材の先端に整流のための溝が設けられている、請求項１９に記載の薬剤施薬装置。
【請求項２１】
前記封止解除部材の前記伸長動作の方向と垂直な方向への動きを規制するガイド部材をさらに備える、請求項１８または１９に記載の薬剤施薬装置。
【請求項２２】
前記ポンプ部材は、前記ノズル部材からの前記薬剤の噴出方向と垂直な方向に膨らんだ形状である、請求項１，１４から２０のいずれか一項に記載の薬剤施薬装置。
【請求項２３】
前記封止解除部材は、前記ポンプ部材に内蔵されている、請求項１７から２１のいずれか一項に記載の薬剤施薬装置。
【請求項２４】
前記封止解除部材は、一対の板状の被押圧部を含む、請求項２３に記載の薬剤施薬装置。
【請求項２５】
前記封止解除部材に、誤操作による前記ポンプ部材の収縮動作を抑止する誤操作抑止部材が備え付けられている、請求項２４に記載の薬剤施薬装置。
【請求項２６】
前記封止解除部材は、変形後、元の形状には復帰し難い塑性材料で形成されている、請求項２４に記載の薬剤施薬装置。
【請求項２７】
前記封止解除部材は、その一部が前記ポンプ部材に熱溶着されている、請求項２６に記載の薬剤施薬装置。
【請求項２８】
前記封止解除部材は、前記噴出用開口部とは逆側となる基端部において前記ポンプ部材に熱溶着されている、請求項２７に記載の薬剤施薬装置。
【請求項２９】
前記封止解除部材は、その先端部が先細り形状である、請求項２８に記載の薬剤施薬装置。
【請求項３０】
前記封止解除部材は、前記ポンプ部材の内部に設置され、前記シール部材を拡張させることで当該シール部材の封止状態を解除する部材で構成される、請求項１７に記載の薬剤施薬装置。
【請求項３１】
請求項１７〜２１、２３〜３０のいずれか一項に記載の薬剤施薬装置の製造方法であって、
前記封止解除部材をインジェクション成形で成形し、
前記封止解除部材のアウター部をブロー成形、インジェクション成形あるいは真空成形で成形する、製造方法。
【発明の詳細な説明】
【技術分野】
【０００１】
本発明は、薬剤施薬装置とその製造方法に関し、さらに詳細には、所定分量の粉状薬剤を鼻腔等に施薬するための単回使用型の薬剤施薬装置の構造等に関する。
【背景技術】
【０００２】
一般的に、鼻炎や鼻アレルギー等の疾患を持つ患者に粉状薬剤を鼻腔内に施薬する治療方法が知られている。この治療方法では、専用の施薬装置を用いてカプセル内に充填した粉状の薬剤を鼻腔内に施薬している。また、従来、この治療方法に用いられる施薬装置が案出されている（例えば特許文献１参照）。【０００３】
特許文献１に記載の施薬装置では、円筒部材の空気流入側にはポンプ部が設けられ、この円筒部材の空気流出側にはカプセルが挿入される凹形状部が形成され、この凹形状部に先端部を嵌合することによってカプセル収容部を形成し、このカプセル収容部からポンプ部に向けて、弁機構を持つ空気導入通路が形成されている。また、上記ポンプ部の他側にはもうひとつの弁機構が設けられ、この弁機構と空気導入通路内の弁機構により、ポンプ部の押圧時にはカプセル収容部に空気導入通路を介して空気が供給され、ポンプ部の復帰時には外部から空気をポンプ部内に吸い込むようになっている。さらに、施薬装置は、円筒部材の先端部に嵌合するキャップを有し、このキャップの内側には軸方向に伸びる針を設け、円筒部材の凹形状部と開口部を有する先端部を嵌合させた状態でキャップをはめることにより、カプセルの軸方向両側に孔あけを行う構成となっている。【０００４】
このように構成される装置では、まずカプセルの孔あけには、粉状薬剤が充填されたカプセルを円筒部材の凹形状部に挿入した後に先端部を嵌合してカプセルをカプセル収納部に挿着し、固い樹脂でできた先端部にキャップをはめることにより、先端部にガイドされたキャップの内側に設けられた針により、カプセルの軸方向両側先端部に孔をあける。【０００５】
次に、薬剤を投与するには、円筒部材からキャップを外して先端部を使用者が片方の鼻孔に挿入し、ポンプ部を押圧することによりポンプ部からの空気が空気導入通路を介してカプセル内に流れ、カプセル内の薬剤を使用者の鼻腔内に送達して施薬する。また両鼻腔内への施薬は、先端部の挿入以下の動作を繰返して行うことにより両鼻腔内への施薬が行われる。
【先行技術文献】
【特許文献】
【０００６】
【特許文献１】特開昭５９−３４２６７号公報
【発明の概要】
【発明が解決しようとする課題】
【０００７】
しかし、従来の経鼻投与用施薬装置では、（ａ）毎回の投与量の均一化向上、（ｂ）保存容器の薬物保存性の向上、（ｃ）投与操作の簡便化、且つ、（ｄ）携帯性の向上といった観点から改良されたものは皆無に等しかった。【０００８】
すなわち、粉末薬剤の経鼻投与用施薬装置には、(i)複数回分の薬剤を投与器内の容器に集合して収納し、その容器から投与ごとに１回分の薬剤を分割して投与を行う多回投与器（例えば、ＷＯ２００１／０９５９６２参照）、(ii)１回分の薬剤が収納されたカプセルやカートリッジなどの容器を投与ごとに投与器に装填して投与を行う単回投与器（特許文献１が相当）があり、(ii)の単回投与器の中には、単回使用ごとに投与器ごと廃棄しうる、いわゆる使い捨てのタイプがある。(i)の多回投与器は、１つの投与器の中に、複数回分の薬剤を収納しているため、携帯性や利便性という面で非常に有用である。一方で、投与ごとに、１回分の薬剤を分割する操作が必要であり、その操作を厳密に行わなければ、必要量の薬剤を正確に分割できず、結果として毎回安定して必要量の薬剤を投与できない可能性もあり、治療上、厳密な投与量のコントロールが必要な薬物には不向きである。また、複数回の薬剤が収納された容器は、使用期間中ずっと密封状態にすることは非常に困難であることから、吸湿しやすいあるいは酸化しやすい薬物は使用期間中に粉末薬剤が容器内で変性したり、分解したりしてしまう可能性がある。さらに、同じノズルを繰り返し使用するため、ノズル外部が鼻汁で汚れたり、ノズル内部に投与操作後の薬剤が付着残存したりするため、定期的にノズルを掃除することが必要となる。このように、多回投与器には、必要量の薬剤を毎回分割する操作が厳密であること、薬剤保管容器として密封性が低いこと、ノズル掃除が定期的に必要であることなど、投与量の確実性、薬剤の安定性確保、定期的なメンテナンスの必要性などの課題がある。【０００９】
一方、(ii)の単回投与器は、１回分の薬剤が収納されたカプセルやカートリッジなどの容器を投与ごとに投与器に装填して投与を行うため、必要量の薬剤を毎回確実に投与できるメリットがある。さらに、カプセルやカートリッジなどの容器は個別包装され、使用時まで密封保存できることから、吸湿や酸化しやすい薬物にも応用が比較的容易である。その一方で、特許文献１に開示されている装置のように、薬剤容器としてカプセルを採用し、投与ごとの事前準備として、カプセルを投与器に装填し、投与後に使用済みカプセルを投与器から取り出す操作が必要になる。また、投与ごとの事前準備として、針を使ってカプセルの上下に孔を開ける場合、針でカプセルに孔を開けた後、空気の通気口を確保するために針をカプセルから引き抜くことから、針の出し入れによって、カプセルの破片が薬剤に混入してしまう可能性や、針でカプセルに孔を開ける位置が毎回安定せず、結果としてノズルからの薬剤の噴射性が安定しない可能性がある。また、例えば特許文献１に開示されている装置では、同じノズルを繰り返し使用するため、ノズル外部が鼻汁で汚れたり、ノズル内部に投与後の薬剤が付着残存したりするため、定期的にノズルを掃除することが必要となる。このように、単回投与器には、１回分の薬剤が収納された容器を投与器に装填および取り外しする操作や薬剤容器への孔あけ作業が投与ごとに必要となること、定期的なメンテナンスの必要性などの課題がある。【００１０】
さらに、従来の装置は、投与時の動作によって薬剤の噴出の態様が変わってしまうといった問題を含みうるものでもあったが、これらの観点から改良されたものもなかった。【００１１】
そこで、本発明は、毎回の投与量の均一化向上、保存容器の薬物保存性の向上、投与操作の簡便化、且つ携帯性の向上が可能であり、かつ、他の問題の解決にも結びつく構造の粉状薬剤用鼻腔内送達デバイスを提供することを目的とする。
【課題を解決するための手段】
【００１２】
本発明の一態様は、所定分量の粉状薬剤を鼻腔内に施薬するための単回使用型の薬剤施薬装置において、
粉状薬剤が充填される充填スペース、および該粉状薬剤が噴出される噴出用開口部を有するノズル部材と、
噴出用開口部を閉口する閉口部材と、
充填スペースの開口部を封止するシール部材と、
収縮動作に伴い空気を送り出して粉状薬剤を噴出用開口部から噴出させる噴射用ポンプ部材と、
を備える、薬剤施薬装置である。【００１３】
上記のごとき薬剤施薬装置は、所定分量の粉状薬剤が充填される充填スペースを有するノズル部材を備えていることから、好適には一回投与分の薬剤を充填しておくことで、毎回の投与量の均一化向上を実現しやすい。また、一回投与分の薬剤を一度に使い切る形に特化することができ、そうした場合には小型化・軽量化を図ることで携帯性向上を実現しやすくもある。これは、別言すれば、ノズル部材に、粉状薬剤（一回分の投入量を含む）の容器としての機能を併せ有させたものということもでき、投与量均一化向上と携帯性向上を実現しやすい構造であるといえる。【００１４】
また、一回投与分の薬剤を一度に使い切る形とすることで、ノズルを使い回す形態のとき当該ノズルが鼻汁などで汚れた場合に掃除が必要になるといった問題や、ノズル内に残存した薬剤に分解や変性が生じてそれらが生体に投与されてしまうといった問題など、ノズルの使い回しによる衛生面等での問題を克服することができる。【００１５】
また、上記のごとき薬剤施薬装置は、好適には一回投与分の薬剤を充填しておくものとし、使用するまでノズル部材内において薬剤を密封しておくことで、薬剤容器内での保存安定性に関わる薬効面、毒性面で生じうる問題（湿度や酸素等で分解や変性を起しやすい薬剤には不適だという問題）を解消すること、ひいては保存容器としての薬物保存性を向上させることができる。【００１６】
上記のごとき薬剤施薬装置では、ノズル部材の開口部をシール部材で封止しておくことで当該ノズル部材内に密封空間を形成しておき、粉状薬剤を噴出させる動作に伴って穿孔部材がシール部材に孔を穿つ構成としておけば、吸湿や酸化が起こりやすい薬剤に適用して特に好適である。【００１７】
上記のごとき薬剤施薬装置においては、穿孔部材の先端部が、孔を穿ちやすくする先細り形状であることが好適である。【００１８】
上記のごとき薬剤施薬装置において、穿孔部材の先端部の裏側に、孔を通って充填スペース内に流れ込む空気の一部を径方向外側へ向かわせる笠部が形成されていてもよい。【００１９】
上記のごとき薬剤施薬装置において、笠部が、径方向外側から内側へと向かうにつれて先端部に近づくように傾斜していてもよい。【００２０】
上記のごとき薬剤施薬装置において、穿孔部材の先端部以外の部分に、移動方向に沿って伸びる溝部が形成されていてもよい。【００２１】
上記のごとき薬剤施薬装置は、噴射用ポンプ部材の収縮動作に伴い移動し、該移動の途中でシール部材に孔を穿つ穿孔部材と、該穿孔部材の移動時の方向と垂直な方向への動きを規制するガイド部材と、をさらに備えていてもよい。【００２２】
上記のごとき薬剤施薬装置において、穿孔部材の基端部と、ポンプ部材の底部とが接していてもよい。【００２３】
上記のごとき薬剤施薬装置において、ポンプ部材が、ノズル部材側から当該ポンプ部材の底部に近づくにつれて絞り込まれるテーパー形状であってもよい。【００２４】
上記のごとき薬剤施薬装置において、ポンプ部材を収縮動作させる際に使用者が指を掛けることができる指掛け部が設けられていてもよい。【００２５】
上記のごとき薬剤施薬装置において、ポンプ部材が断面長円または断面楕円形状であってもよい。【００２６】
上記のごとき薬剤施薬装置において、ポンプ部材に、当該ポンプ部材への誤操作による誤作動を防止するポンプ誤作動防止カバーが併設されていてもよい。【００２７】
上記のごとき薬剤施薬装置は、収縮動作後のポンプ部材が元の状態に戻るのを防止する戻り動作防止部材をさらに備えていてもよい。【００２８】
上記のごとき薬剤施薬装置において、ポンプ部材は、収縮動作後、元の形状には復帰し難い構造であってもよい。【００２９】
上記のごとき薬剤施薬装置は、正圧が作用した状態でシール部材の封止が解除する構造であってもよい。【００３０】
上記のごとき薬剤施薬装置において、シール部材による充填スペースの開口部の封止力は、ポンプ部材の収縮動作に伴う内圧上昇の途中で剥離する範囲内の力に設定されていてもよい。【００３１】
上記のごとき薬剤施薬装置におけるシール部材は、ノズル部材とポンプ部材との間の流路部の一部が熱圧着されてなるものであってもよい。【００３２】
上記のごとき薬剤施薬装置は、使用者による操作に応じて動作し、開口部の封止状態を解く封止解除部材をさらに備えていてもよい。【００３３】
上記のごとき薬剤施薬装置における封止解除部材は、ポンプ部材の収縮動作に伴い伸長し、該伸長動作の途中でシール部材に接触して開口部の封止状態を解く部材であってもよい。【００３４】
上記のごとき薬剤施薬装置における封止解除部材は、ポンプ部材側からノズル部材側へとシール部材を越えて押し進むことで封止状態を解除する部材で構成されていてもよい。【００３５】
上記のごとき薬剤施薬装置の封止解除部材の先端に整流のための溝が設けられていてもよい。【００３６】
上記のごとき薬剤施薬装置は、封止解除部材の伸長動作の方向と垂直な方向への動きを規制するガイド部材をさらに備えていてもよい。【００３７】
上記のごとき薬剤施薬装置のポンプ部材は、ノズル部材からの薬剤の噴出方向と垂直な方向に膨らんだ形状であってもよい。【００３８】
上記のごとき薬剤施薬装置における封止解除部材は、ポンプ部材に内蔵されていてもよい。【００３９】
上記のごとき薬剤施薬装置における封止解除部材は、一対の板状の被押圧部を含むものであってもよい。【００４０】
上記のごとき薬剤施薬装置における封止解除部材に、誤操作によるポンプ部材の収縮動作を抑止する誤操作抑止部材が備え付けられていてもよい。【００４１】
上記のごとき薬剤施薬装置において、封止解除部材は、変形後、元の形状には復帰し難い塑性材料で形成されていてもよい。【００４２】
上記のごとき薬剤施薬装置の封止解除部材は、その一部がポンプ部材に熱溶着されていてもよい。【００４３】
上記のごとき薬剤施薬装置の封止解除部材は、噴出用開口部とは逆側となる基端部においてポンプ部材に熱溶着されていてもよい。【００４４】
上記のごとき薬剤施薬装置の封止解除部材は、その先端部が先細り形状であってもよい。【００４５】
上記のごとき薬剤施薬装置の封止解除部材は、ポンプ部材の内部に設置され、シール部材を拡張させることで当該シール部材の封止状態を解除する部材で構成されていてもよい。【００４６】
本発明の一態様は、上記のごとき薬剤施薬装置の製造方法であって、封止解除部材をインジェクション成形で成形し、封止解除部材のアウター部をブロー成形、インジェクション成形あるいは真空成形で成形する、製造方法である。
【発明の効果】
【００４７】
本発明によれば、毎回の投与量の均一化向上、保存容器の薬物保存性の向上、投与操作の簡便化、且つ携帯性の向上が可能であり、かつ、他の問題の解決にも結びつく構造の粉状薬剤用鼻腔内送達デバイスを提供することができる。
【図面の簡単な説明】
【００４８】
【図１】本発明の一実施形態に係る粉状薬剤用鼻腔内送達デバイス（鼻腔用粉状薬剤施薬装置）の外観を示す斜視図である。
【図２】使用に際しタブが折り取られた状態の粉状薬剤用鼻腔内送達デバイスの外観を示す斜視図である。
【図３Ａ】粉状薬剤用鼻腔内送達デバイスの分解斜視図である。
【図３Ｂ】粉状薬剤用鼻腔内送達デバイスの底面側からみた分解斜視図である。
【図３Ｃ】図３Ｂ中のノズル部材、タブ、シール部材、ホルダー（ガイド部材）およびピアサー（穿孔部材）について、縦断面（シール部材とピアサーを除く）を表す分解斜視図である。
【図４】粉状薬剤用鼻腔内送達デバイスのノズル部材、ポンプ部材が透明ないし半透明である場合のデバイス全体の構成を示す斜視図である。
【図５】ホルダー（ガイド部材）およびピアサー（穿孔部材）の構成例を示す斜視図である。
【図６】ホルダーの（Ａ）平面図、（Ｂ）正面図、（Ｃ）側面図である。
【図７】図６（Ａ）中のVII-VII線におけるホルダーの縦断面図である。
【図８】図６（Ａ）中のVIII-VIII線におけるホルダーの縦断面図である。
【図９】ホルダーの底面図である。
【図１０】ピアサーの（Ａ）平面図、（Ｂ）b-b線における縦断面図、（Ｃ）底面図である。
【図１１】ピアサーの基端部側からみた斜視図である。
【図１２】図５中のXII-XII線におけるピアサーおよびホルダーの縦断面図である。
【図１３】図５中のXIII-XIII線におけるピアサーおよびホルダーの縦断面図である。
【図１４】粉状薬剤Ｍを施薬する際の粉状薬剤用鼻腔内送達デバイスの動作を時系列Ｔに沿って（Ａ）〜（Ｄ）の順に示す縦断面図である。
【図１５】粉状薬剤Ｍを施薬する際のピアサー等の動作を時系列Ｔに沿って（Ａ）〜（Ｄ）の順に示す縦断面の斜視図である。
【図１６】粉状薬剤Ｍを施薬する際のピアサーの先端部周辺における空気の流れを説明する部分縦断面図である。
【図１７】粉状薬剤Ｍを施薬する際にポンプ操作を開始してから終了するまでのピアサーの軸方向位置とポンプ押力との関係をグラフにして示す図である。
【図１８】本発明の第２の実施形態に係る粉状薬剤用鼻腔内送達デバイス（薬剤施薬装置）の斜視図である。
【図１９】粉状薬剤用鼻腔内送達デバイスの正面図である。
【図２０】粉状薬剤用鼻腔内送達デバイスの右側面図である。
【図２１】図２０のXXI-XXI線における粉状薬剤用鼻腔内送達デバイスの断面図である。
【図２２】図１９のXXII-XXII線における粉状薬剤用鼻腔内送達デバイスの断面図である。
【図２３】粉状薬剤用鼻腔内送達デバイスの斜め上方からの分解斜視図である。
【図２４】粉状薬剤用鼻腔内送達デバイスの斜め下方からの分解斜視図である。
【図２５】使用時の粉状薬剤用鼻腔内送達デバイスの斜視図である。
【図２６】使用後の粉状薬剤用鼻腔内送達デバイスの正面図である。
【図２７】使用後の粉状薬剤用鼻腔内送達デバイスの右側面図である。
【図２８】図２７のXXVIII-XXVIII線における使用後の粉状薬剤用鼻腔内送達デバイスの断面図である。
【図２９】図２６のXXIX-XXIX線における使用後の粉状薬剤用鼻腔内送達デバイスの断面図である。
【図３０】ガイド部材をされに備えた、本発明の第３の実施形態に係る粉状薬剤用鼻腔内送達デバイス（薬剤施薬装置）の分解斜視図である。
【図３１】図３０に示した粉状薬剤用鼻腔内送達デバイスの縦断面図である。
【図３２】本発明の第４の実施形態に係る粉状薬剤用鼻腔内送達デバイス（薬剤施薬装置）のピアサーを示す（Ａ）斜め上方からの斜視図、（Ｂ）斜め下方からの斜視図である。
【図３３】図３２に示したピアサーでシール部材に穿孔した直後のピアサー周辺における空気の流れを説明する縦断面図である。
【図３４】ピアサーの別態様を示す（Ａ）斜め上方からの斜視図、（Ｂ）斜め下方からの斜視図である。
【図３５】図３４に示したピアサーでシール部材に穿孔した直後のピアサー周辺における空気の流れを説明する縦断面図である。
【図３６】本発明の第５の実施形態に係る粉状薬剤用鼻腔内送達デバイス（薬剤施薬装置）の斜視図である。
【図３７】粉状薬剤用鼻腔内送達デバイスの正面図である。
【図３８】粉状薬剤用鼻腔内送達デバイスの右側面図である。
【図３９】作動時ないしは作動後における粉状薬剤用鼻腔内送達デバイスの斜視図である。
【図４０】作動時ないしは作動後における粉状薬剤用鼻腔内送達デバイスの右側面図である。
【図４１】（Ａ）図３７のXLI-XLI線における粉状薬剤用鼻腔内送達デバイスの断面図、（Ｂ）作動時ないしは作動後における粉状薬剤用鼻腔内送達デバイスの断面図である。
【図４２】（Ａ）本発明の第６の実施形態に係る粉状薬剤用鼻腔内送達デバイス（薬剤施薬装置）の断面図、（Ｂ）作動時ないしは作動後における粉状薬剤用鼻腔内送達デバイスの断面図である。
【図４３】本発明の第６の実施形態におけるピーラー（封止解除部材）の（Ａ）斜視図、（Ｂ）正面図、（Ｃ）側面図である。
【図４４】伸長したピーラーの（Ａ）斜視図、（Ｂ）正面図、（Ｃ）側面図である。
【図４５】ピーラーの全体斜視図である。
【図４６】ピーラーに設けられた誤操作抑止部材の第１の具体例を示す、ピーラーの全体斜視図である。
【図４７】ピーラーに設けられた誤操作抑止部材の第２の具体例を示す、ピーラーの全体斜視図である。
【図４８】ピーラーに設けられた誤操作抑止部材の第３の具体例を示す、ピーラーの全体斜視図である。
【図４９】本発明の第７の実施形態に係る粉状薬剤用鼻腔内送達デバイス（薬剤施薬装置）の斜視図である。
【図５０】図４９のL-L線における粉状薬剤用鼻腔内送達デバイスの断面図である。
【図５１】図４９のLI-LI線における粉状薬剤用鼻腔内送達デバイスの断面図である。
【図５２】本発明の第８の実施形態に係る作動前の粉状薬剤用鼻腔内送達デバイス（薬剤施薬装置）の斜視図である。
【図５３】図５２のLIII-LIII線における粉状薬剤用鼻腔内送達デバイスの断面図である。
【図５４】ピーラー（封止解除部材）の斜視図である。
【図５５】作動後の粉状薬剤用鼻腔内送達デバイス（薬剤施薬装置）の斜視図である。
【図５６】図５５のLVI-LVI線における粉状薬剤用鼻腔内送達デバイスの断面図である。
【図５７】作動後のピーラー（封止解除部材）の斜視図である。
【図５８】粉状薬剤用鼻腔内送達デバイスをブロー成形する際の工程を順に説明する図である。
【発明を実施するための形態】
【００４９】
以下、本発明の構成を図面に示す実施の形態の一例に基づいて詳細に説明する。
【００５０】
［第１の実施形態］
＜粉状薬剤用鼻腔内送達デバイスの構成例＞
鼻腔用粉状薬剤施薬装置（以下、「粉状薬剤用鼻腔内送達デバイス」ともいう）１０は、所定分量の粉状薬剤を患者の鼻腔内に施薬するための、１回使い切り型として好適な装置である。本実施形態の粉状薬剤用鼻腔内送達デバイス１０は、ノズル部材２０、タブ３０、シール部材４０、ポンプ部材５０、ピアサー６０、ガイド部材７０などを備える（図１〜図４等参照）。
【００５１】
ノズル部材２０は、患者の鼻腔内に粉状薬剤を施薬しやすくする先細形状で、必要に応じて先端付近に適度な丸みが付されている（図１５等参照）。ノズル部材２０の内部には、粉状薬剤が充填される充填スペース２２が形成されている（図１４等参照）。ノズル部材２０の先端の中心には、粉状薬剤Ｍを噴出する噴出用開口部２６が設けられている（図２、図１４等参照）。ノズル部材２０の基端側（ポンプ部材５０側に取り付けられる側）には、粉状薬剤Ｍを充填スペース２２へと充填可能な開口部２４と、環状の笠部２７とが形成されている（図１４、図１５参照）。環状の笠部２７の内周面には、当該ノズル部材２０をポンプ部材５０に取り付けるためのねじ部２８が形成されている（図１４（Ａ）参照）。
【００５２】
タブ３０は、ノズル部材２０の噴出用開口部２６を閉口する部材（閉口部材）である。本実施形態のタブ３０はノズル部材２０の先端に折り取り可能な状態で取り付けられており、使用時、当該タブ３０を使用者（以下、ユーザーともいう）が手で折り取ることで噴出用開口部２６が開口するようになっている（図１、図２等参照）。
【００５３】
シール部材４０は、ノズル部材２０の充填スペース２２の開口部２４を封止する部材である（図３Ｂ、図３Ｃ参照）。シール部材４０としては、充填スペース２２を密封して粉状薬剤Ｍを空気や湿気による劣化から防ぐ防湿フィルムなどであって、かつ、使用時にピアサー６０で穿孔しやすい部材を用いることが好ましい。本実施形態では、ポンプ部材５０の内圧が所定程度まで上昇したとしても破れたり剥がれたりせずに気密性を維持するシール部材４０を採用している。
【００５４】
ポンプ部材５０は、粉状薬剤用鼻腔内送達デバイス１０の使用時、空気を送り出して粉状薬剤Ｍをノズル部材２０の噴出用開口部２６から噴出させる部材である。本実施形態では、ユーザーが指で底部５２を押し込むことで蛇腹部５１が収縮する構造の部材をポンプ部材５０として採用している（図４等参照）。
【００５５】
ポンプ部材５０の具体的な形状は特に限定されるものではないが、一例として、本実施形態では、ノズル部材２０側から当該ポンプ部材５０の底部５２に近づくにつれて絞り込まれる縦断面がテーパー形状のポンプを採用している（図１４等参照）。小型のポンプから効率よく噴射用空気を作り出すためには、ポンプが収縮しやすい（潰れやすい）形状にして、ポンプ内容積に相当する空気をできるだけ噴射用空気として活用することが重要である。ポンプ部材５０がこのようにテーパー形状であると、ポンプ部材５０を収縮させたときの蛇腹部５１の山と山との重なりが少しずつずれることから、ポンプによる反力（ポンプが元の形状に戻ろうとする力）が小さな状態で、ポンプが効率よく収縮しやすくなる。これにより、小型のポンプであっても、ユーザーが小さな力で噴射用空気を作り出すことが可能となる。また、底部５２が狭小であると、使用時にユーザーが親指を宛がう位置が均一化されやすくなる結果、ポンプ部材５０を収縮させる際、底部５２が左右へとぶれる動きが抑えられ、収縮動作が安定する。したがって、ユーザーごとの収縮動作の違いが生じ難くなるという利点もある。
【００５６】
ポンプ部材５０の肩部には、患者等の使用者（患者に施薬する医師等らも使用者に含まれる）が指を、特に人差し指と中指を掛けやすい形状の指掛け部５４が形成されている（図１４等参照）。ユーザーは、左右の指掛け部５４のそれぞれに人差し指と中指を掛け、親指で底部５２を押してポンプ部材５０を収縮させるという動作が行いやすい。指掛け部５４の表面には、指の滑りを抑える滑り止め５５として機能する凹凸などが設けられていてもよい（図２等参照）。
【００５７】
ポンプ部材５０の横断面形状もまた限定されるものではなく、例えば円形であってもよいが、本実施形態では横断面形状がおよそ長円または楕円形状といった一方向に潰れたような形状のポンプを採用している（図２等参照）。
【００５８】
ピアサー６０は、ポンプ部材５０の収縮動作に伴い移動し、該移動の途中でシール部材４０に孔を穿つ部材である。本実施形態のピアサー６０は、軸部６１と、ノズル部材２０側を向く先端部６２と、ポンプ部材５０の収縮動作時に押圧される基端部６８と、を有している。先端部６２は、シール部材４０に穿孔を設けやすい形状、例えば縁部６５から先端に向かって先細りとなる円錐状となっている（図１４等参照）。
【００５９】
ピアサー６０の先端部６２の裏面には笠部６４が形成されている。笠部６４は、先端部６２によってシール部材４０に設けられた穿孔を通って充填スペース２２内に流れ込む空気の一部を径方向外側へ向かわせるように形成されている。例えば本実施形態の粉状薬剤用鼻腔内送達デバイス１０における笠部６４は、径方向外側から内側へと向かうにつれて先端部に近づくように、傘のごとく傾斜している（図１１、図１６等参照）。このように形成されたピアサー６０の笠部６４は、充填スペース２２内に流れ込む空気の一部を径方向外側へ向かわせながら下向きの気流を生じさせ、充填スペース２２内における粉状薬剤Ｍの残存を減少させる。
【００６０】
ピアサー６０の軸部６１には、当該ピアサー６０の移動方向（長手方向）に沿って伸びる溝部６６が形成されている。粉状薬剤Ｍを噴射する際、ポンプ部材５０内の空気は、この溝部６６を通って充填スペース２２へと流れ込むことができる（図１６等参照）。本実施形態では、軸部６１が断面十字形状であり四方に溝部６６が形成されているピアサー６０を採用している（図１０等参照）。
【００６１】
ガイド部材（以下、「ホルダー」ともいう）７０は、ピアサー６０を保持し、かつ、ピアサー６０の移動時における径方向への動きを規制しながら当該ピアサー６０を案内する部材として機能する。本実施形態のホルダー７０は、大径部７１とスリーブ状の小径部７２とを有し、かつ、大径部７１に先端側開口部７５、小径部７２に基端側開口部７６がそれぞれ設けられた段付き形状の筒状体によって形成されている（図３Ａ〜図６等参照）。また、大径部７１には、内壁から外壁まで貫通する一対のスリット７７が対向する位置に設けられている（図６等参照）。
【００６２】
ホルダー７０の内壁には、ピアサー６０を所定位置に固定するための固定手段の一例として、ピアサー固定用上段爪部７３およびピアサー固定用下段爪部７４とが設けられている（図５〜図１３等参照）。ピアサー固定用上段爪部７３は、ホルダー７０の内壁に対向するように配置された一対の突起によって形成されている。ピアサー固定用下段爪部７４は、ホルダー７０の内壁の、ピアサー固定用上段爪部７３よりも基端側の位置に対向するように配置された一対の突起によって形成されている（図７等参照）。対向する突起間の距離（間隔）は、ピアサー６０の先端部６２の最大径つまり縁部６５の直径よりも僅かに小さい（図１２、図１３等参照）。また、本実施形態では、ピアサー固定用上段爪部７３とピアサー固定用下段爪部７４の各突起（リブ）を周方向において９０度おきとなる位置に配置するなどし（図９等参照）、周方向位置が互いにずれるようにするとともに、射出成型機による成型を可能としている。
【００６３】
ピアサー固定用上段爪部７３およびピアサー固定用下段爪部７４は、ピアサー６０の基端側から先端側に向かうにつれてホルダー７０の内壁からの突出量が増す傾斜面を備えている（図１２、図１３等参照）。ピアサー６０は、軸方向において、ピアサー固定用上段爪部７３とピアサー固定用下段爪部７４との間に縁部６５が位置するように配置される。ピアサー６０が先端側へ押圧された場合、ピアサー６０の縁部６５は、ピアサー固定用上段爪部７３を乗り越えて先端側へと移動することができる（図１３等参照）。一方、ピアサー６０が基端側へ引っ張られたとしても、ピアサー６０の縁部６５は、ピアサー固定用下段爪部７４を乗り越えることができない（図１２等参照）。
【００６４】
また、本実施形態の粉状薬剤用鼻腔内送達デバイス１０においては、使用前の状態で、ピアサー６０の基端部６８とポンプ部材５０の底部５２とが乖離しており、これらの間に所定のクリアランスＣが形成されている（図１４等参照）。このあと図１７等を用いて説明するとおり、クリアランスＣの大きさを適宜変更することによって、粉状薬剤Ｍを施薬するときの空気圧を変えることができる。
【００６５】
＜粉状薬剤用鼻腔内送達デバイスの動作＞
続いて、粉状薬剤Ｍを施薬する際の粉状薬剤用鼻腔内送達デバイス１０の動作について説明する（図１４〜図１７等参照）。
【００６６】
粉状薬剤用鼻腔内送達デバイス１０を使用するに際し、ユーザーは、まずは当該粉状薬剤用鼻腔内送達デバイス１０を箱状、ブリスター状ないしは袋状のパッケージ（図示省略）から取り出し、ノズル部材２０からタブ３０を折り取って噴出用開口部２６を開口させる。
【００６７】
そうしたら、ユーザーは、指掛け部５４に人差し指と中指を掛け、底部５２に親指を宛がい、これらの指でポンプ部材５０を挟み持った状態で、ノズル部材２０の噴出用開口部２６を鼻孔に向ける。この状態でユーザーが親指で底部５２を押し上げてポンプ部材５０を押すと（図１４（Ａ）等参照）、粉状薬剤用鼻腔内送達デバイス１０は以下のごとく動作する。なお、ユーザーの動作に基づきポンプ部材５０に作用する力（あるいはポンプ部材５０自体に生じる応力）を本明細書や図面では「ポンプ押力」と呼ぶ（図１７参照）。
【００６８】
ポンプ部材５０がクリアランスＣのぶん収縮し、底部５２がピアサー６０の基端部６８に当接する（図１４（Ｂ）参照）。ポンプ部材５０の操作開始後、底部５２がピアサー６０の基端部６８に当接するまでは、ピアサー６０はホルダー７０に保持されたままであり、シール部材４０を穿孔することはないので、ポンプ部材５０内の空気がノズル部材２０に流入することはない。このため、ポンプ部材５０が収縮したぶん、当該ポンプ部材５０の内圧が上昇する。
【００６９】
底部５２がピアサー６０の基端部６８に当接した後は、ユーザーのポンプ押力が当該底部５２を介してピアサー６０に直接的に伝えられる。ユーザーが底部５２を押し続け、ポンプ押力が所定値を超えるとピアサー６０を離脱させる力（「ピアサー離脱力」）が作用し、ピアサー６０の縁部６５がピアサー固定用上段爪部７３を乗り越え、ホルダー７０に対してピアサー６０が移動可能となる（図１７中の(i)〜(iii)参照）。
【００７０】
ホルダー７０から離脱した後のピアサー６０は、さらに押圧され続けるとその先端部６２をシール部材４０に当接させ、穿刺し始める（図１４（Ｂ）、図１５（Ｂ）参照）。これに伴い、ポンプ部材５０中の空気がノズル部材２０に流入し始める。ピアサー６０がシール部材４０を穿刺しているとき（ただし、まだ先端部６２がシール部材４０を貫通していない状態のとき）、シール部材４０から受ける抵抗に加え、ポンプ部材の５０の内圧及び蛇腹部５１の反力によってポンプ押力は徐々に増大する（図１７中の(iv)参照）。ピアサーの先端部６２がシール部材４０を貫通する直前、ポンプ押力がピークとなり（図１７中の(v)参照）、先端部６２がシール部材４０を貫通すると該ポンプ押力は急減する（図１７中の(vi)参照）。ピアサー６０の先端部６２がシール部材４０を貫通することで、ノズル部材２０内に空気が一気に流入し、粉状薬剤Ｍが噴出用開口部２６から噴射される（図１５（Ｃ）参照）。
【００７１】
噴射時における空気と粉状薬剤Ｍの動きについて説明する（図１６等参照）。ポンプ部材５０内の空気は、ピアサー６０の溝部６６とホルダー７０との間のスペースを流れ、シール部材４０に形成された穿孔を通り抜け、ノズル部材２０内の充填スペース２２へと流れ込む。ノズル部材２０内へと流れ込んだ空気の少なくとも一部は、ピアサー６０の笠部６４により、径方向外側へ向かいつつ下向きの気流を生じさせるように流れ、その後、噴出用開口部２６に向かう（図１６参照）。ノズル部材２０内の充填スペース２２内を空気がこのように流れることで、シール部材４０の縁付近に残存しやすい粉状薬剤Ｍをも噴出させるようにし、充填スペース２２内における粉状薬剤Ｍの残存量を減少させることができる。
【００７２】
また、本実施形態の粉状薬剤用鼻腔内送達デバイス１０においては、ピークに達したポンプ押力の勢いで、ポンプ部材５０およびピアサー６０がそのまま最終位置（本実施形態では、底部５２がホルダー７０の基端側開口部７６に当接して動きが止まる位置）まで押し込まれる（図１４（Ｄ）、図１５（Ｄ）、図１７参照）。一般的には、ユーザー、使用状況などの各種因子の違いに起因してポンプ押力の大きさ、変化の仕方に違いが生じうるが、上記のごとき動作を実現した本実施形態の粉状薬剤用鼻腔内送達デバイス１０によれば、ピアサー６０の先端部６２がシール部材４０を貫通する際の押力のばらつきが軽減することから、結果として、粉状薬剤Ｍの噴射態様のばらつきが抑えられる（図１７中の(vi)〜(viii)参照）。
【００７３】
上記のごとき動作を経て、ポンプ部材５０およびピアサー６０が最終位置（本実施形態の場合、底部５２がホルダー７０の基端側開口部７６に当接して動きが止まる位置）に到達したところで動作は止まり、ポンプ操作が終了する（図１４（Ｄ）、図１７中の(ix)参照）。
【００７４】
＜粉状薬剤用鼻腔内送達デバイスの特徴＞
ここまで説明した本実施形態の粉状薬剤用鼻腔内送達デバイス１０の特徴を以下に記す。
【００７５】
ノズルを使い回しする従来のデバイスには衛生面の課題（ノズルが鼻汁などで汚れた場合には掃除が必要）があったのに対し、本実施形態の粉状薬剤用鼻腔内送達デバイス１０においてはノズル付きのデバイスを採用して使い切りとすることができるため、使い回しする場合の課題を回避することができる。
【００７６】
また、ノズルを使い回しする従来のデバイスにはノズル内に残存した薬剤が分解や変性をし、その分解物や変性物が投与されてしまう課題（ノズルの掃除が必要）があったのに対し、本実施形態の粉状薬剤用鼻腔内送達デバイス１０はデバイス自体をカートリッジ化して使い切り型として好適な構成であることから、使い回しする場合のこのような課題を回避することができる。
【００７７】
従来のデバイスにおいては、保存安定性の低い薬物については、薬剤容器内での保存安定性を確保することが課題（湿度や酸素等で分解や変性を起しやすい薬剤には不適）があったのに対し、本実施形態の粉状薬剤用鼻腔内送達デバイス１０においては、ノズル部材２０内の充填スペース２２をタブ３０およびシール部材４０で封止することで密封容器として機能させ、このような課題が生じないようにしている。このような構造の粉状薬剤用鼻腔内送達デバイス１０は、酸素や湿度に弱い粉状薬剤Ｍにも応用しやすい。
【００７８】
従来のデバイスにおいては、ポンプやデバイス内部へ薬剤が落ち込み、噴射量が低下したり、次回の薬剤投与の際に落ち込んだ薬剤が追加投与されたりして、投与量が安定しない課題があったのに対し、本実施形態の粉状薬剤用鼻腔内送達デバイス１０においては、シール部材４０を穿孔するのとほぼ同時に噴射が始まることから、このような課題をも回避することが可能である。
【００７９】
従来のデバイスにおいては、薬剤容器の施栓に空気の通路孔を開ける場合、ニードル等でカプセルを穿刺した後、ニードル等をカプセルから引き抜くことで、空気の通路孔を設けるため、容器の破片が生じ易く、生体に対して薬剤とともに投与されてしまうことがあるという課題があったのに対し、本実施形態の粉状薬剤用鼻腔内送達デバイス１０においては、ピアサー６０の尖端でシール部材４０を穿孔することで、その後にピアサー６０の尖端をシール部材４０から引き抜くことなく、空気の通路孔を設けることができることから、このような課題をも回避することが可能である。
【００８０】
従来のデバイスにおいては、ポンプの押し方次第で噴射態様が変化してしまう課題があったのに対し、本実施形態の粉状薬剤用鼻腔内送達デバイス１０においては、異なるユーザーが使用したとしても、ピアサー６０の先端部６２がシール部材４０を貫通する直前までのポンプ操作によって噴射用空気の一部がポンプ内に一定の空気量及び空気圧で充填され、続くポンプ操作によってピアサー６０の先端部６２がシール部材４０を貫通すると同時に、充填された一定の空気が薬剤容器（として機能するノズル部材２０の充填スペース２２）内に流入し、粉状薬剤Ｍを噴射することから、このような課題を回避することが可能である。これに加えて、本実施形態の粉状薬剤用鼻腔内送達デバイス１０においては、ピアサー６０の先端部６２がシール部材４０を貫通する際の押力をポンプ操作の最大押力に設定していることから、その最大押力から解放されるポンプ操作の勢いで、残りのポンプ操作を完了に導くことができる。このため、一定の空気が薬剤容器内に流入し、粉状薬剤Ｍを噴射することから、このような課題を回避することが可能である。
【００８１】
従来のデバイスにおいては、カプセルやカートリッジの取り付け操作を含む投与前の準備が煩雑である場合があったのに対し、本実施形態の粉状薬剤用鼻腔内送達デバイス１０は、ノズル部材２０、ポンプ部材５０等が当初から一体化されている使い切り型のデバイスであり、組み立てたりシールを剥がしたりといった準備をせずとも使用することができる。
【００８２】
なお、上述の実施形態は本発明の好適な実施の一例ではあるがこれに限定されるものではなく本発明の要旨を逸脱しない範囲において種々変形実施可能である。例えば、上述した実施形態では特に説明はしなかったが、粉状薬剤用鼻腔内送達デバイス１０は、収縮動作後のポンプ部材５０が元の状態に戻るのを防止する戻り動作防止部材をさらに備えていてもよい。戻り動作防止部材を備えた粉状薬剤用鼻腔内送達デバイス１０においては、噴出した粉状薬剤Ｍが噴出用開口部２６に引き込まれることが抑えられる。戻り動作防止部材の具体的な構成はとくに限定されない。例示すれば、ポンプ部材５０の底部５２の内側中央に形成された円柱形状ないしは円環形状の突起であって、ホルダー７０の基端側開口部７６の内側（または外側でもよい）に嵌まり込んで、収縮後のポンプ部材５０をそのままの状態に維持して元の状態に戻るのを防止する部材を戻り動作防止部材（図１４（Ｄ）において符号８０で示す）として用いることができる。
【００８３】
上述したごとき粉状薬剤用鼻腔内送達デバイス１０は経鼻薬剤を投与するための装置として好適であるが、用途はとくにこれに限られることはない。例えば、経鼻投与は、これまでは鼻炎治療を主とした局所治療が主であったが、最近は、偏頭痛やがん性疼痛を緩和する薬物など、全身作用を期待する薬物を鼻粘膜から吸収させることを狙った経鼻薬剤についても数多く商品化されており、粉状薬剤用鼻腔内送達デバイス１０の用途にはこのようなものも含まれる。また、薬物を鼻腔内の嗅部から脳へ移行させる研究も行われており、粉状薬剤用鼻腔内送達デバイス１０の用途には鼻腔内の嗅部へと経鼻薬剤を送達すようなものも含まれる。さらに、医薬品開発においては、厳密な投与量のコントロールや厳密な保存管理を必要とする、バイオ医薬品の開発が活発化しており、これらの医薬品を経鼻応用するニーズも高まっており、このような用途も含まれる。
【００８４】
経鼻薬剤を投与する以外の具体的な他例として以下のようなものが挙げられる。
・低分子化合物、ペプチド薬、ワクチン、核酸、タンパク、抗体などの生理活性物質を保管するために用いられる、カートリッジ。
・低分子化合物、ペプチド薬、ワクチン、核酸、タンパクなどの生理活性物質を投与するために用いられる、粉状薬剤用鼻腔内送達デバイス（鼻腔用粉状薬剤施薬装置）。
・鼻炎や副鼻腔炎などに対する局所作用のために用いられる、粉状薬剤用鼻腔内送達デバイス（鼻腔用粉状薬剤施薬装置）。
・全身作用を期待する薬物を鼻粘膜から吸収させるために用いられる、粉状薬剤用鼻腔内送達デバイス（鼻腔用粉状薬剤施薬装置）。
・粘膜免疫作用のために用いられる、粉状薬剤用鼻腔内送達デバイス（鼻腔用粉状薬剤施薬装置）。
・鼻腔内の嗅部を介した薬物の脳移行のために用いられる、粉状薬剤用鼻腔内送達デバイス（鼻腔用粉状薬剤施薬装置）。
【００８５】
上記のごとき粉状薬剤用鼻腔内送達デバイス１０は、所定分量の粉状薬剤が充填される充填スペースを有するノズル部材２０を備えていることから、好適には一回投与分の薬剤を充填しておくことで、毎回の投与量の均一化向上を実現しやすい。また、一回投与分の薬剤を一度に使い切る形に特化することができ、そうした場合には小型化・軽量化を図ることで携帯性向上を実現しやすくもある。これは、別言すれば、ノズル部材２０に、粉状薬剤（一回分の投入量を含む）の容器としての機能を併せ有させたものということもでき、投与量均一化向上と携帯性向上を実現しやすい構造であるといえる。
【００８６】
また、一回投与分の薬剤を一度に使い切る形とすることで、ノズルを使い回す形態のとき当該ノズルが鼻汁などで汚れた場合に掃除が必要になるといった問題や、ノズル内に残存した薬剤に分解や変性が生じてそれらが生体に投与されてしまうといった問題など、ノズルの使い回しによる衛生面等での問題を克服することができる。
【００８７】
また、上記のごとき粉状薬剤用鼻腔内送達デバイス１０では、ノズル部材２０の開口部２４をシール部材４０で封止しておくことで当該ノズル部材２０内に密封空間を形成しておき、粉状薬剤を噴出させる動作に伴ってピアサー６０がシール部材４０に孔を穿つ構成となっていることから、吸湿や酸化が起こりやすい薬剤に適用して特に好適である。
【００８８】
また、上記のごとき粉状薬剤用鼻腔内送達デバイス１０は、好適には一回投与分の薬剤を充填しておくものとし、使用するまでノズル部材内において薬剤を密封しておくことで、薬剤容器内での保存安定性に関わる薬効面、毒性面で生じうる問題（湿度や酸素等で分解や変性を起しやすい薬剤には不適だという問題）を解消すること、ひいては保存容器としての薬物保存性を向上させることができる。
【００８９】
また、上記のごとき粉状薬剤用鼻腔内送達デバイス１０では、穿孔の際のシール部材４０の特性、圧縮空気が流れ込む態様などの各種特性に応じ、あるいはこれらを調整するべく、ポンプ部材５０の底部５２とピアサー６０との位置関係および発生空気特性を適宜変更することが好適である。例えば、上記のごとき粉状薬剤用鼻腔内送達デバイス１０においては、ポンプ動作時の圧縮空気生成時の第一段階ではクリアランスＣ１の大きさによる影響が大きく、ポンプ動作時の圧縮空気生成時の第二段階ではクリアランスＣ２の大きさによる影響が大きい（図１４（Ａ）等参照）。この点を考慮し、例えば、粉状薬剤Ｍの噴射時に発生させる空気特性として、圧縮空気を必要とする場合には、クリアランスＣ１および／またはクリアランスＣ２のストローク及び各ストロークに対応するポンプ内容量を調節することで、生成する圧縮空気の圧や量をコントロールできる。また、噴射時に発生させる空気特性として、圧縮空気を必要としない場合には、クリアランスＣ１および／またはクリアランスＣ２を設けないことで、ポンプ部材５０の操作とほぼ同時に空気がノズル部材２０内に流れ込む態様とすることができる（図１４参照）。
【００９０】
［第２の実施形態］
本発明の第２の実施形態に係る薬剤施薬装置（以下、「粉状薬剤用鼻腔内送達デバイス」）１０について以下に説明する（図１８〜図２９参照）。
【００９１】
粉状薬剤用鼻腔内送達デバイス１０は、所定分量の粉状薬剤を患者の鼻腔内に施薬するための１回使い切り型の装置である。本実施形態の粉状薬剤用鼻腔内送達デバイス１０は、ノズル部材２０、タブ３０、シール部材４０、ポンプ部材５０、ピアサー６０を備える（図２３等参照）。
【００９２】
ノズル部材２０は、患者の鼻腔内に粉状薬剤を施薬しやすくするよう先端に丸みが付けられた筒状部２１と、該筒状部２１の基端側に形成されたフランジ部２３とを有する（図２４等参照）。筒状部２１の内部には、薬剤が充填される充填スペース２２が形成されている（図２１、図２２等参照）。ノズル部材２０の筒状部２１の先端中心には、粉状薬剤Ｍを噴出する噴出用開口部２６が設けられている（図２８、図２９参照）。筒状部２１の基端側（ポンプ部材５０側に取り付けられる側）の中央には、粉状薬剤Ｍを充填スペース２２へ充填可能な開口部２４が形成されている（図２４等参照）。
【００９３】
フランジ部２３は、患者等のユーザーが指（特に人差し指と中指）を掛けやすい形状に形成されており、上記実施形態の粉状薬剤用鼻腔内送達デバイス１０における指掛け部５４のごとく機能する（図２６等参照）。ユーザーは、フランジ部２３の両肩部分のそれぞれに人差し指と中指を掛け、親指で底部５２を押してポンプ部材５０を収縮させるという動作が行いやすい。
【００９４】
シール部材４０は、ノズル部材２０の充填スペース２２の開口部２４を封止する部材である（図２２、図２４等参照）。シール部材４０としては、充填スペース２２を密封して粉状薬剤Ｍを空気や湿気による劣化から防ぐ防湿フィルムシートなどであって、かつ、使用時にピアサー６０で穿孔しやすい部材を用いることが好ましい。本実施形態では、ポンプ部材５０の内圧が所定程度まで上昇したとしても破れたり剥がれたりせずに気密性を維持するシール部材４０を採用している。本実施形態のシール部材４０は、フランジ部２３の底面やポンプ部材５０の上面の形状および大きさに合わせて形成され、これらフランジ部２３とポンプ部材５０との間に介在するように貼付される（図１９、図２０等参照）。
【００９５】
ポンプ部材５０は、粉状薬剤用鼻腔内送達デバイス１０の使用時、空気を送り込んで粉状薬剤Ｍをノズル部材２０の噴出用開口部２６から噴出させる部材である。本実施形態では、ユーザーが指で底部５２を押し込むことで潰れる形状のポンプ部材５０を採用している（図２５等参照）。ポンプ部材５０の具体的な形状や構造は特に限定されるものではないが、ユーザー毎の指の大きさ、押す力、押す方向などの違いにかかわらずあまり偏らずに同様かつ綺麗に潰れるものであることが好適である。また、ポンプ部材５０内の空気をできるだけ残さず送り込むことができれば、粉状薬剤Ｍをより効率よく噴出させやすい。
【００９６】
一例として、本実施形態のポンプ部材５０は、筒状の大径部５６、該大径部５６から絞り込むように連続する第１テーパー部５７、該第１テーパー部５７に続く筒状の小径部５８、そして該小径部５８と略円板状の底部５２との間に形成される第２テーパー部５９を有する形状である（図２１等参照）。このポンプ部材５０では、底部５２を押圧されると、第１テーパー部５７と第２テーパー部が基端側へと折り返されるように変形し、底部５２が小径部５８の内側にめり込み、小径部５８の一部が大径部５６の内側にめり込む（図２５〜図２９参照）。このように底部５２が小径部５８の内側にめり込み、小径部５８の一部が大径部５６の内側にめり込んだ後のポンプ部材５０は、塑性材料であることもあり、元の状態（収縮動作前の状態）には復帰し難い。
【００９７】
また、本実施形態のポンプ部材５０は、ポンプ誤作動防止カバー５３をさらに備えている。ポンプ誤作動防止カバー５３は、使用されるまでにポンプ部材５０が潰れたり粉状薬剤Ｍが噴出したりするのを防止するべく設けられているもので、底部５２、小径部５８等の周囲のうち三方を覆う壁状部材で構成されている（図２４等参照）。ポンプ部材５０の正面側（あるいは背面側）にはポンプ誤作動防止カバー５３が設けられておらず、ユーザーが指（主として親指）で底部５２を押し込む動作ができるようになっている（図１９、図２７等参照）。
【００９８】
ピアサー６０は、ポンプ部材５０の収縮動作に伴い移動し、該移動の途中でシール部材４０に穿孔して封止状態を解除する部材である（図２９等参照）。本実施形態のピアサー６０は、軸部６１と、ノズル部材２０側を向く先端部６２と、ポンプ部材５０の底部５２を向く基端部６８と、を有している。先端部６２は、シール部材４０に穿孔を設けやすい形状、例えば先端に向かって先細りとなる円錐状となっている（図２１等参照）。
【００９９】
上記のごときポンプ部材５０は、例えば、ピアサー６０の部分をインジェクション成形で成形し、そのアウター部（本実施形態のポンプ部材であれば、ピアサー６０を以外の部分である、底部５２、第２テーパー部５９、小径部５８、第１テーパー部５７、大径部５６、ポンプ誤作動防止カバー５３）をブロー成形、インジェクション成形あるいは真空成形で一体的に成形することにより製造することができる。なお、本実施形態におけるごとくポンプ誤作動防止カバー５３を先端側から基端側に向かうにつれ薄くなるよう形成したり（図２１等参照）、大径部５６から底部５２に至るまでを徐々に絞り込まれる形に形成したりする等により、成形型から抜きやすい形状とすることができる。
【０１００】
タブ３０は、ノズル部材２０の噴出用開口部２６を閉口する部材（閉口部材）である。本実施形態のタブ３０は、噴出用開口部２６の他、フランジ部２３と２箇所、計３箇所においてノズル部材２０に溶着された略Ｕ形状の部材である（図２１等参照）。使用時、当該タブ３０をユーザーが手で捻るようにして取る外すことで噴出用開口部２６が開口するようになっている（図２６等参照）。
【０１０１】
［第３の実施形態］
本発明の第３の実施形態に係る薬剤施薬装置（「粉状薬剤用鼻腔内送達デバイス」）１０について以下に説明する（図３０〜図３１参照）。
【０１０２】
本実施形態の粉状薬剤用鼻腔内送達デバイス１０は、上記第２の実施形態の粉状薬剤用鼻腔内送達デバイス１０にガイド部材７０を追加した構造となっている。
【０１０３】
ガイド部材７０は、ピアサー６０でシール部材４０の開口部２４付近を確実に穿刺・穿孔するための部材である。本実施形態のガイド部材７０は、環状の大径部７１と、環状の小径部７２とを放射状に延びる複数（例えば４本）のスポーク部７８で接続した形状である（図３０参照）。大径部７１は、ポンプ部材５０の大径部５６の内径に合わせて形成されている。小径部７２は、ピアサー６０が移動する際の横方向（径方向）への動きを規制する。小径部７２に、ピアサー６０の少なくとも一部と重なる位置まで基端向きに延びるスリーブ７９が形成されていてもよい（図３１参照）。また、大径部７１の周囲に小突起７１ａが設けられ、ポンプ部材５０の大径部５６の内周側に小突起７１ａが嵌まり込む凹部５６ａが設けられていてもよい（図３０参照）。
【０１０４】
［第４の実施形態］
上記のごとき第３の実施形態における粉状薬剤用鼻腔内送達デバイス１０において、ピアサー６０に溝部６６が形成されていてもよい。以下、このようなピアサー６０について、第４の実施形態として説明する（図３２〜図３５参照）。
【０１０５】
ピアサー６０の軸部６１に、当該ピアサー６０の移動方向（長手方向）に沿って伸びる溝部６６が形成されていてもよい（図３２参照）。粉状薬剤Ｍを噴射する際、ポンプ部材５０内の空気は、この溝部６６を通って充填スペース２２へと流れ込むことができる（図３３参照）。本実施形態では、軸部６１が断面十字形状であり四方に溝部６６が形成されているピアサー６０を採用している（図３２、図３３参照）。
【０１０６】
上記の別の態様として、先端部６２、笠部６４、縁部６５、溝部６６を備えるピアサー６０を採用してもよい（図３４、図３５参照）。なお、このピアサー６０についての説明は上記第１の実施形態におけるものと重複する部分があるのでここでの説明は省略する。
【０１０７】
［第５の実施形態］
本発明の第５の実施形態に係る薬剤施薬装置（「粉状薬剤用鼻腔内送達デバイス」）１０について以下に説明する（図３６〜図４１参照）。
【０１０８】
まず、本実施形態の粉状薬剤用鼻腔内送達デバイス１０の特徴を下記［１］から［６］まで簡単に述べ、その後、構造等について説明する。
【０１０９】
［１．毎回の投与量の均一化向上］
・１回分の薬剤が事前充填された容器兼噴射器
≪圧縮された空気が一気にノズル内に流入することで高速の気流が発生し、ノズル内製剤の噴射効率が向上。≫
≪ピーラー先端構造による整流効果で、ノズル内の製剤の噴射効率が向上。≫
・噴射特性が操作方法に依存しにくい
≪ポンプを押すことによって、ポンプ内の空気圧が一定以上に達した際に、弱シール部を剥離する、もしくはピーラー先端が弱シール部を剥離する、ことによって、一定の特性を有する空気がノズル内に流入する。≫
≪ピーラー作動開始において、結合部の破綻もしくは連結部の解除が必要な機構を追加することで、結合部の破綻もしくは連結部の解除を行う力を作用した勢いで、ポンプを最後まで押し切る手順をさらに高めることにより、一定の特性を有する空気がノズル内に流入する確度を高める。≫
【０１１０】
［２．薬物の保存安定性の向上］
・投与直前まで密封容器である
【０１１１】
［３．投与操作の簡便化］
・簡便操作
≪薬剤が入った容器を噴射器に装填する必要なし。≫
≪ポンプを押すのは１回のみ。≫
【０１１２】
［４．携帯性の向上］
・小型化
【０１１３】
［５．部品点数減による生産性向上（コスト減にも繋がる）］
・ブロー成型と熱圧着の応用により最小１部品（ピーラー部品無しの場合。）
【０１１４】
［６．誤操作防止機能］
・ピーラー作動開始において、結合部の破綻もしくは連結部の解除が必要な機構を追加することで、結合部の破綻もしくは連結部の解除をするのに必要な力がかからない場合において、誤ってポンプを押してしまうことを防止する。
【０１１５】
以下、図面を参照しつつ粉状薬剤用鼻腔内送達デバイス１０の構造等を説明する。本実施形態の粉状薬剤用鼻腔内送達デバイス１０は、ノズル部材２０、タブ３０、シール部材４０、ポンプ部材５０などを備える（図３６等参照）。
【０１１６】
ノズル部材２０は、患者の鼻腔等に粉状薬剤を施薬しやすくするよう先端に丸みが付けられた筒状の部材である。該ノズル部材２０の筒状部２１の内部には、薬剤が充填される充填スペース２２が形成されている（図２１、図２２等参照）。ノズル部材２０の先端には噴出用開口部２６が設けられている。
【０１１７】
タブ３０は、ノズル部材２０の噴出用開口部２６を閉口する部材（閉口部材）であり、ノズル部材２０を覆うように折り取り可能な状態で取り付けられている（図３７等参照）。使用時、当該タブ３０をユーザーが手で折り取ることで噴出用開口部２６が開口するようになっている（図４２等参照）。
【０１１８】
シール部材４０は、ノズル部材２０の充填スペース２２の開口部２４を封止する部材であり、例えば、ノズル部材２０とポンプ部材５０との間の流路部（図４１等において符号４２で示す）の部分に形成される。本実施形態では、ポンプ部材５０を押すことによって該ポンプ部材５０内の空圧が上昇し、所定値以上の正圧となったときまたはそうなるまでに剥離して封止状態が解除する程度の弱シール性を備えるシール部材４０を採用している。該シール部材４０は、例えば高周波溶着、熱圧着、超音波溶着などの手段を利用して形成される。
【０１１９】
ポンプ部材５０は、粉状薬剤用鼻腔内送達デバイス１０の使用時、空気を送り出して粉状薬剤Ｍをノズル部材２０の噴出用開口部２６から噴出させる部材である。本実施形態のポンプ部材５０は、ノズル部材２０からの粉状薬剤Ｍの噴出方向と垂直な方向に膨らんだ形状（例えば、図３８中の正面方向（向かって左側）と背面方向（向かって右側））であり、かつ、当該膨らんだ面が平坦な扁平状であり、正面と背面とで対となる押圧部５０Ａ，５０Ｂを備え、これら対向する押圧部５０Ａ，５０Ｂをユーザーが指で押し込むことで収縮動作して潰れる構造となっている（図４１等参照）。
【０１２０】
［第６の実施形態］
上記第５の実施形態のごとき粉状薬剤用鼻腔内送達デバイス１０は、使用者による操作に応じて動作し、開口部２４の封止状態を解く封止解除部材９０をさらに備えていてもよい。以下、上記第５の実施形態における粉状薬剤用鼻腔内送達デバイス１０との差異点を中心に、第６の実施形態として説明する（図４２等参照）。
【０１２１】
粉状薬剤用鼻腔内送達デバイス１０が備える封止解除部材（以下、「ピーラー」ともいう）９０はポンプ部材５０に内蔵されていて、当該ポンプ部材５０の収縮動作に伴い伸長し、該伸長動作の途中でシール部材４０に接触して開口部２４の封止状態を解く部材である。ピーラー９０の先端部９１は、シール部材４０を拡張ないしは剥離させてその封止状態を解くに適した先細り形状となっている（図４２等参照）。
【０１２２】
本実施形態のピーラー９０は、上記のごとき先端部９１の他、基端部９２、変形部９３、被押圧部９４を有する（図４２等参照）。基端部９２は、噴出用開口部２６とは逆側（基端側）の部分であり、当該基端部９２の一部がポンプ部材５０に熱溶着されている。変形部９３は菱形状に配置された４片の部材からなるパンタグラフ状の部分で、ポンプ部材５０の収縮動作に伴い潰れ、噴出用開口部２６のほうへΔＤ（＝Ｄ２−Ｄ１）伸長する（図４３、図４４参照）。被押圧部９４は、ポンプ部材５０の押圧部５０Ａ，５０Ｂの内側に配置されている例えば板状の部材で、当該押圧部５０Ａ，５０Ｂをユーザーが指で押し込んだときの力を変形部９３に伝達する（図４５等参照）。
【０１２３】
ピーラー９０の先端部９１に、整流のための溝９５が設けられていてもよい（図４３〜図４５参照）。溝９５が整流することで、粉状薬剤Ｍをより均一に拡散してむらなく吐出することが可能となる。
【０１２４】
なお、本実施形態のピーラー９０は、変形後、元の形状には復帰し難い塑性材料、例えば樹脂材料で形成されている。したがって、変形後のピーラー９０が復元動作することはないし、いったん収縮したポンプ部材５０がこれに伴って膨らむようなこともない。
【０１２５】
粉状薬剤用鼻腔内送達デバイス１０は、ピーラー９０の伸長動作の方向と垂直な方向（横方向）への動きを規制するガイド部材をさらに備えていてもよい。例えば本実施形態の粉状薬剤用鼻腔内送達デバイス１０においては、ノズル部材２０のうち開口部２４付近の筒状部分（図４２において符号２５で示す）がガイド部材として機能する（図４２参照）。また、ポンプ部材５０の押圧部５０Ａ，５０Ｂの内側面に接する被押圧部９４もピーラー９０の横方向への動きを規制する機能を有しうる。
【０１２６】
粉状薬剤用鼻腔内送達デバイス１０に、誤操作抑止、あるいはポンプ部材５０を勢いよく最後まで押し切るための機能が追加されていてもよい。このような機能を実現する部材（誤操作抑止部材）の具体例は以下のとおりである（図４６〜図４８参照）。
【０１２７】
誤操作抑止部材９６の第１の具体例は、先端部９１と基端部９２とを結合する部材である（図４６参照）。誤操作抑止部材９６の途中には、被押圧部９４が押圧された際（図中の矢印参照）、変形部９３を介して引っ張り力として作用する力がある程度となると破断する強度の括（くび）れ部９６ａが形成されている（図中の破線の部分参照）。引っ張り力が作用した状態で誤操作抑止部材９６（の括れ部９６ａ）が破断するとピーラー９０が勢いよく上昇し、かつ、その際のポンプ部材５０への押圧力の勢いで当該ポンプ部材５０が最後まで押し切られるようになる。また、ポンプ部材５０への押圧力（ひいては誤操作抑止部材９６に作用する引っ張り力）がある程度となるまではピーラー９０の動きが抑えられるため、粉状薬剤用鼻腔内送達デバイス１０における誤操作、誤作動が抑止される。
【０１２８】
誤操作抑止部材９６の第２の具体例は、先端部９１と基端部９２とを連結させる部材である（図４７参照）。誤操作抑止部材９６の途中には、互いに繋がっていない状態で成形され、その後に噛み合わせられ互いに係止して連結状態となる係止部９６ｂが形成されている（図中の破線の部分参照）。ポンプ部材５０が押圧され、誤操作抑止部材９６に作用する引っ張り力がある程度となると係止部９６ｂが外れる。その後の動き、作用などは上記第１の具体例と同様である。
【０１２９】
誤操作抑止部材９６の第３の具体例は、変形部９３の右側上部片９３ａと右側下部片９３ｂとを結合する細片９６ｃおよび／または変形部９３の左側上部片９３ｃと右側下部片９３ｄとを結合する細片９６ｄからなる部材である（図４８参照）。ポンプ部材５０が押圧され、細片９６ｃおよび／または細片９６ｄに作用する引っ張り力がある程度となると誤操作抑止部材９６が破断する。その後の動き、作用などは上記第１の具体例と同様である。
【０１３０】
［第７の実施形態］
上記第５の実施形態のごとき粉状薬剤用鼻腔内送達デバイス１０において、ノズル部材２０はその先端寄りの部分が丸みを帯びつつ膨らんだ形状となっている（図４９〜図５１参照）。
【０１３１】
［第８の実施形態］
上記第７の実施形態のごとき粉状薬剤用鼻腔内送達デバイス１０は、使用者による操作に応じて開く動作をし、開口部２４の封止状態を解くピーラー（封止解除部材）１９０をさらに備えていてもよい。以下、第８の実施形態として説明する（図５２〜図５７参照）。
【０１３２】
本実施形態のピーラー１９０は、一対の板状の可動部材１９２が基材１９１上の支軸１９３を介していわば洗濯バサミ様に回動可能に取り付けられて構成される部材で、ポンプ部材５０に内蔵されている（図５３、図５４参照）。ユーザーがポンプ部材５０を押すと、可動部材１９２の被押圧部（力点）１９２ａに力が作用し、支軸１９３を中心として回動動作し、上端部（作用点）１９２ｂが開いてシール部材４０を剥離させる（図５５〜図５７等参照）。
【０１３３】
［第９の実施形態］
以下、粉状薬剤用鼻腔内送達デバイス１０の製造方法の一例を、本発明の第９の実施形態として説明する（図５８参照）。
【０１３４】
＜ブロー成形工程＞
筒状のパリソン（アウター部）１２の内部にピーラー９０を導入する（図５８（Ａ）参照）。その後、ブロー金型（図示省略）を用いてブロー成形する（図５８（Ａ）、（Ｂ）参照）。シール部材４０として第５の実施形態で説明したような弱シール性のものが採用されている場合、当該シール部材４０をこの工程にて併せて成形することができる。
【０１３５】
＜薬剤充填工程＞
ノズル部材２０内の充填スペース２２に粉状薬剤Ｍを充填する（図５８（Ｄ）参照）。
【０１３６】
＜熱圧着・最終成形工程＞
ノズル部材２０の噴出用開口部２６付近を熱圧着して密封し、さらに、最終成形する（図５８（Ｅ）参照）。
【０１３７】
なお、製造手法としてここでは上記のごときブロー成形について説明したがこれは好適な一例にすぎない。この他、パリソン１２をブロー成形、インジェクション成形あるいは真空成形などによって成形することもできる。
【０１３８】
なお、ここまでの第１〜第９の実施形態では「粉状薬剤用鼻腔内送達デバイス１０」について説明したがこれは本発明に係る単回使用型の薬剤施薬装置の好適な一具体例にすぎない。薬剤施薬装置は、鼻腔の他にも適用可能である。
【産業上の利用可能性】
【０１３９】
本発明は、鼻腔用等の各種薬剤施薬装置に適用して好適である。
【符号の説明】
【０１４０】
１０…粉状薬剤用鼻腔内送達デバイス（薬剤施薬装置）、１２…パリソン（アウター部）、２０…ノズル部材、２１…筒状部、２２…充填スペース、２３…フランジ部、２４…充填スペースの開口部、２５…開口部付近の筒状部分（ガイド部材）、２６…噴出用開口部、２７…笠部、２８…ねじ部、３０…タブ（閉口部材）、４０…シール部材、４２…流路部、５０…ポンプ部材（噴射用のポンプ部材）、５０Ａ…押圧部、５０Ｂ…押圧部、５１…蛇腹部、５２…底部、５３…ポンプ誤作動防止カバー、５４…指掛け部、５５…滑り止め、５６…大径部、５６ａ…凹部、５７…第１テーパー部、５８…小径部、５９…第２テーパー部、６０…ピアサー（穿孔部材）、６１…軸部、６２…先端部、６４…笠部、６５…縁部、６６…溝部、６８…基端部、７０…ホルダー（ガイド部材）、７１…大径部、７１ａ…小突起、７２…小径部、７３…ピアサー固定用上段爪部、７４…ピアサー固定用下段爪部、７５…先端側開口部、７６…基端側開口部、７７…スリット、７８…スポーク部、７９…スリーブ、８０…戻り動作防止部材、９０…ピーラー（封止解除部材）、９１…先端部、９２…基端部、９３…変形部、９４…被押圧部、９５…溝、９６…誤操作抑止部材、９６ａ…括れ部、９６ｂ…係止部、９６ｃ…細片、９６ｄ…細片、１９０…ピーラー（封止解除部材）、１９１…基材、１９２…可動部材、１９２ａ…被押圧部、１９２ｂ…上端部、１９３…支軸、Ｃ１…クリアランス、Ｃ２…クリアランス、Ｍ…粉状薬剤（薬剤）
【図１】
2020105290.tif 000003
【図２】
2020105290.tif 000004
【図３Ａ】
2020105290.tif 000005
【図３Ｂ】
2020105290.tif 000006
【図３Ｃ】
2020105290.tif 000007
【図４】
2020105290.tif 000008
【図５】
2020105290.tif 000009
【図６】
2020105290.tif 000010
【図７】
2020105290.tif 000011
【図８】
2020105290.tif 000012
【図９】
2020105290.tif 000013
【図１０】
2020105290.tif 000014
【図１１】
2020105290.tif 000015
【図１２】
2020105290.tif 000016
【図１３】
2020105290.tif 000017
【図１４】
2020105290.tif 000018
【図１５】
2020105290.tif 000019
【図１６】
2020105290.tif 000020
【図１７】
2020105290.tif 000021
【図１８】
2020105290.tif 000022
【図１９】
2020105290.tif 000023
【図２０】
2020105290.tif 000024
【図２１】
2020105290.tif 000025
【図２２】
2020105290.tif 000026
【図２３】
2020105290.tif 000027
【図２４】
2020105290.tif 000028
【図２５】
2020105290.tif 000029
【図２６】
2020105290.tif 000030
【図２７】
2020105290.tif 000031
【図２８】
2020105290.tif 000032
【図２９】
2020105290.tif 000033
【図３０】
2020105290.tif 000034
【図３１】
2020105290.tif 000035
【図３２】
2020105290.tif 000036
【図３３】
2020105290.tif 000037
【図３４】
2020105290.tif 000038
【図３５】
2020105290.tif 000039
【図３６】
2020105290.tif 000040
【図３７】
2020105290.tif 000041
【図３８】
2020105290.tif 000042
【図３９】
2020105290.tif 000043
【図４０】
2020105290.tif 000044
【図４１】
2020105290.tif 000045
【図４２】
2020105290.tif 000046
【図４３】
2020105290.tif 000047
【図４４】
2020105290.tif 000048
【図４５】
2020105290.tif 000049
【図４６】
2020105290.tif 000050
【図４７】
2020105290.tif 000051
【図４８】
2020105290.tif 000052
【図４９】
2020105290.tif 000053
【図５０】
2020105290.tif 000054
【図５１】
2020105290.tif 000055
【図５２】
2020105290.tif 000056
【図５３】
2020105290.tif 000057
【図５４】
2020105290.tif 000058
【図５５】
2020105290.tif 000059
【図５６】
2020105290.tif 000060
【図５７】
2020105290.tif 000061
【図５８】
2020105290.tif 000062
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
所定分量の粉状薬剤を鼻腔等に施薬するための単回使用型の薬剤施薬装置において、
前記粉状薬剤が充填される充填スペース、および該粉状薬剤が噴出される噴出用開口部を有するノズル部材と、
前記噴出用開口部を閉口する閉口部材と、
前記充填スペースの開口部を封止するシール部材と、
収縮動作に伴い空気を送り出して前記粉状薬剤を前記噴出用開口部から噴出させる噴射用のポンプ部材と、
先端部が孔を穿ちやすい先細り形状であり、前記ポンプ部材の収縮動作に伴い移動し該移動の途中で前記シール部材に孔を穿つ穿孔部材と、
前記孔を通って前記充填スペース内に流れ込む空気の一部を径方向外側へ向かわせるように、前記穿孔部材の先端部の裏側に形成された笠部と、
を備える、薬剤施薬装置。
【請求項２】
前記穿孔部材の前記先端部以外の部分に、移動方向に沿って伸びる溝部が形成されている、請求項１に記載の薬剤施薬装置。
【請求項３】
複数の前記溝部が前記穿孔部材の軸部に形成されている、請求項２に記載の薬剤施薬装置。
【請求項４】
前記笠部が、径方向外側から内側へと向かうにつれて前記先端部に近づくように傾斜している、請求項３に記載の薬剤施薬装置。
【請求項５】
前記笠部が傘のように前記先端部に向かって傾斜している、請求項４に記載の薬剤施薬装置。
【請求項６】
前記穿孔部材の前記移動時の方向と垂直な方向への動きを規制するガイド部材をさらに備える、請求項１から５のいずれか一項に記載の薬剤施薬装置。
【請求項７】
前記穿孔部材の基端部と、前記ポンプ部材の底部とが接している、請求項６に記載の薬剤施薬装置。
【請求項８】
前記ポンプ部材が、前記ノズル部材側から当該ポンプ部材の底部に近づくにつれて絞り込まれるテーパー形状である、請求項７に記載の薬剤施薬装置。
【請求項９】
前記ポンプ部材を収縮動作させる際に使用者が指を掛けることができる指掛け部が設けられている、請求項８に記載の薬剤施薬装置。
【請求項１０】
前記閉口部材は、その一部が前記指掛け部に位置するように配置されており、当該薬剤施薬装置の使用時、前記閉口部材を取り外すことにより使用者が前記指掛け部に指を掛けることが可能な状態となる、請求項９に記載の薬剤施薬装置。
【請求項１１】
前記ポンプ部材に、当該ポンプ部材への誤操作による誤作動を防止するポンプ誤作動防止カバーが併設されている、請求項９または１０に記載の薬剤施薬装置。
【請求項１２】
収縮動作後の前記ポンプ部材が元の状態に戻るのを防止する戻り動作防止部材をさらに備える、請求項８または１１に記載の薬剤施薬装置。
【請求項１３】
前記ポンプ部材は、収縮動作後、元の形状には復帰し難い構造である、請求項１から１１のいずれか一項に記載の薬剤施薬装置。
【請求項１４】
正圧が作用した状態で前記シール部材の封止が解除する構造である、請求項１に記載の薬剤施薬装置。
【請求項１５】
前記シール部材による前記充填スペースの開口部の封止力は、前記ポンプ部材の収縮動作に伴う内圧上昇の途中で剥離する範囲内の力に設定されている、請求項１に記載の薬剤施薬装置。
【国際調査報告】
2020105290.tif 000063
2020105290.tif 000064
2020105290.tif 000065
2020105290.tif 000066